(57)【要約】【課題】製本物に応じて、押さえ部材が製本物を押さえる位置を変更でき、仕上がりのよい製本物になるようにする。【解決手段】天用断裁刃１１と、地用断裁刃１２と、製本物２７を押さえる押さえ部材１５ａ，１５ｂと、製本物２７を第１又は第２断裁位置に搬送する搬送機構１８と、搬送機構１８の動作を制御する制御部１と、を備え、制御部１は、所定の指示信号に基づいて、製本物２７が第１又は第２断裁位置のいずれかに搬送されるように搬送機構１８を制御し、製本物２７が第１断裁位置に搬送される場合、押さえ部材１５ａ，１５ｂは製本物の背面２７ｄを押さえないように配置され、製本物２７が第２断裁位置に搬送される場合、押さえ部材１５ａ，１５ｂは製本物の背面２７ｄを押さえるように配置される。【選択図】図１
2014046414.tif 000002
【特許請求の範囲】
【請求項１】
製本物の天辺端部、地辺端部及び小口辺端部を断裁するための三方断裁機であって、
前記天辺端部を断裁するための天用断裁刃と、
前記地辺端部を断裁するための地用断裁刃と、
前記天用断裁刃及び前記地用断裁刃で前記天辺端部及び前記地辺端部を断裁する際に、非押圧位置から押圧位置に移動して、前記製本物を押さえる押さえ部材と、
前記天用断裁刃及び前記地用断裁刃で前記天辺端部及び前記地辺端部を断裁する際に、前記製本物を第１又は第２断裁位置に搬送する搬送機構と、
前記搬送機構の動作を制御する制御部と、を備え、
前記制御部は、所定の指示信号に基づいて、前記製本物が前記第１又は第２断裁位置のいずれかに搬送されるように前記搬送機構を制御し、
前記製本物が前記第１断裁位置に搬送される場合、前記押さえ部材が前記押圧位置に配置されるときに、前記押さえ部材は前記製本物の背面を押さえないように配置され、
前記製本物が前記第２断裁位置に搬送される場合、前記押さえ部材が前記押圧位置に配置されるときに、前記押さえ部材は前記製本物の背面を押さえるように配置されることを特徴とする三方断裁機。
【請求項２】
作業者からの入力を受けるための入力部を備え、
前記入力部は、前記製本物を前記第１断裁位置に搬送するように指示するための第１指示ボタンと、前記製本物を前記第２断裁位置に搬送するように指示するための第２指示ボタンと、を備え、前記第１又は第２指示ボタンの選択に基づいて、前記指示信号を前記制御部に送ることを特徴とする請求項１に記載の三方断裁機。
【請求項３】
製本物に印刷された情報部を読み取るための情報読み取り部を備え、
前記情報読み取り部は、前記情報部の情報を読み取り、前記情報に基づいた前記指示信号を前記制御部に送ることを特徴とする請求項１に記載の三方断裁機。
【請求項４】
作業者からの入力を受けるための入力部を備え、
前記入力部は、前記製本物の背の厚さの値を入力するための第１入力領域と、前記製本物の本身の厚さの値を入力するための第２入力領域と、を備え、
前記三方断裁機は、さらに、前記第１及び第２入力領域の入力に基づいて、前記指示信号を前記制御部に送る判定部を備え、
前記判定部は、前記第１入力領域に入力された値と前記第２入力領域に入力された値との差を算出し、
前記差が所定の閾値より大きい場合に、前記製本物を前記第１断裁位置に搬送するように指示し、
前記差が前記閾値より小さい場合に、前記製本物を前記第２断裁位置に搬送するように指示することを特徴とする請求項１に記載の三方断裁機。
【請求項５】
前記本身の厚さを測定するための第１測定部と、
前記製本物の背面の厚さを測定するための第２測定部と、
前記第１及び第２測定部の測定結果に基づいて、前記指示信号を前記制御部に送る判定部と、を備え、
前記判定部は、前記第１測定部が測定した値と前記第２測定部が測定した値との差を算出し、
前記差が所定の閾値より大きい場合に、前記製本物を前記第１断裁位置に搬送するように指示し、
前記差が前記閾値より小さい場合に、前記製本物を前記第２断裁位置に搬送するように指示することを特徴とする請求項１に記載の三方断裁機。
【請求項６】
前記三方断裁機は、
前記製本物の本身の背面に糊を塗布し、前記本身の背面に表紙を貼り付けて前記製本物にする無線綴じ製本機に接続されており、
前記無線綴じ製本機は、
前記本身を把持して搬送するための一対のクランプ板と、
前記本身の背面に前記表紙を押し当てた状態で挟むための一対のニップ板と、を備え、
前記製本機又は前記三方断裁機は、
前記クランプ板の移動量に基づいて、前記本身の厚さを測定するための第１測定部と、
前記ニップ板の移動量に基づいて、前記製本物の背面の厚さを測定するための第２測定部と、
前記第１及び第２測定部の測定結果に基づいて、前記指示信号を前記制御部に送る判定部と、を備え、
前記判定部は、前記第１測定部が測定した値と前記第２測定部が測定した値との差を算出し、
前記差が所定の閾値より大きい場合に、前記製本物を前記第１断裁位置に搬送するように指示し、
前記差が前記閾値より小さい場合に、前記製本物を前記第２断裁位置に搬送するように指示することを特徴とする請求項１に記載の三方断裁機。
【発明の詳細な説明】
【技術分野】
【０００１】
本発明は、製本工程に用いられて、製本の仕上げのために、製本物の天辺端部、地辺端部および小口辺端部を断裁するための三方断裁機に関するものである。
【背景技術】
【０００２】
本身の背面に糊を塗布し、その背面に表紙を貼り付けて製本物にする無線綴じ製本機は良く知られている。そして、製本機によって作成された製本物を仕上げるために、断裁機によって、製本物の天辺縁部、地辺縁部および小口辺縁部を断裁する。従来の断裁機として、例えば特許文献１に記載されたものがある。断裁機は、断裁刃を上下方向に運動させることで、製本物の各縁部を断裁するようになっている。特許文献１の図７に示すとおり、断裁刃１は、斜め方向に上下方向に運動させて、断裁刃１の刃先にかかる負担を軽減するようになっている。
【０００３】
また、特許文献１の図９に示すとおり、断裁刃１で製本物４の天辺縁部４ｃおよび地辺縁部４ｄを断裁する際、断裁刃１が製本物４の小口４ａの方向から進入して断裁すると、製本物４の背面４ｂに返りが発生して乱れが生じる問題がある。そこで、特許文献１の断裁機は、断裁刃１で製本物４の天辺縁部４ｃおよび地辺縁部４ｄを断裁する際に、断裁刃１の進入方向を変更できるようになっており、製本物４を裏返すことなく、断裁刃１が製本物４の背面４ｃから進入して断裁できる。
【０００４】
また、製本物の天辺縁部、地辺縁部および小口辺縁部を自動で断裁できる三方断裁機がある。従来の三方断裁機として、例えば特許文献２に記載されたものがある。特許文献２の図１及び図３に示すとおり、三方断裁機は、製本物２７の天辺縁部２７ａを断裁するための天用断裁刃１１、製本物２７の地辺縁部２７ｂを断裁するための地用断裁刃１２、製本物２７の小口辺縁部２７ｃを断裁するための小口用断裁刃１３を備える。
【０００５】
三方断裁機は、搬送機構１８で製本物２７を所定の断裁位置に搬送し、その後、押さえ部材１５ａ〜１５ｃで製本物を押さえる。そして、三方断裁機は、製本物２７の天辺縁部２７ａおよび地辺縁部２７ｂを断裁する際に、搬送機構１８で製本物２７を所定の断裁位置に搬送し、断裁位置に搬送された製本物２７を一対の押さえ部材１５ａ，１５ｂで押さえて、製本物２７を押さえている間に、天用断裁刃１１および地用断裁刃１２で製本物２７の天辺縁部２７ａおよび地辺縁部２７ｂを断裁する。
【０００６】
特許文献２の三方断裁機では、押さえ部材１５ａ，１５ｂは、製本物２７の背面にわたって押さえている。しかし、押さえ部材１５ａ，１５ｂが製本物２７の背面を押さえると、製本物の背面に皺が入り、仕上がりのよい製本物２７ができない場合があった。
また、押さえ部材１５ａ，１５ｂが製本物２７の背面を避けるように押さえて、天用断裁刃１１および地用断裁刃１２で製本物２７の天辺縁部２７ａおよび地辺縁部２７ｂを断裁すると、製本物２７の背面の角が破れることがあった。
【先行技術文献】
【特許文献】
【０００７】
【特許文献１】特開２００４−６６３４７号公報
【特許文献２】特開２００１−２５２８９０号公報
【発明の概要】
【発明が解決しようとする課題】
【０００８】
そこで、本発明が解決しようとする課題は、製本物に応じて、押さえ部材が製本物を押さえる位置を変更でき、仕上がりのよい製本物になるように、製本物の天辺縁部および地辺縁部を断裁できる三方断裁機を提供することである。
【課題を解決するための手段】
【０００９】
上記の課題を解決するために、本発明に係る三方断裁機は、
製本物の天辺端部、地辺端部及び小口辺端部を断裁するための三方断裁機であって、
天辺端部を断裁するための天用断裁刃と、
地辺端部を断裁するための地用断裁刃と、
天用断裁刃及び地用断裁刃で天辺端部及び地辺端部を断裁する際に、非押圧位置から押圧位置に移動して、製本物を押さえる押さえ部材と、
天用断裁刃及び地用断裁刃で天辺端部及び地辺端部を断裁する際に、製本物を第１又は第２断裁位置に搬送する搬送機構と、
搬送機構の動作を制御する制御部と、を備え、
制御部は、所定の指示信号に基づいて、製本物が第１又は第２断裁位置のいずれかに搬送されるように搬送機構を制御し、
製本物が第１断裁位置に搬送される場合、押さえ部材が押圧位置に配置されるときに、押さえ部材は製本物の背面を押さえないように配置され、
製本物が第２断裁位置に搬送される場合、押さえ部材が押圧位置に配置されるときに、押さえ部材は製本物の背面を押さえるように配置される。
【００１０】
好ましくは、三方断裁機は、
作業者からの入力を受けるための入力部を備え、
入力部は、製本物を第１断裁位置に搬送するように指示するための第１指示ボタンと、製本物を第２断裁位置に搬送するように指示するための第２指示ボタンと、を備え、第１又は第２指示ボタンの選択に基づいて、指示信号を制御部に送る。
【００１１】
好ましくは、三方断裁機は、
製本物に印刷された情報部を読み取るための情報読み取り部を備え、
情報読み取り部は、情報部の情報を読み取り、情報に基づいた指示信号を制御部に送る。
【００１２】
好ましくは、三方断裁機は、
作業者からの入力を受けるための入力部を備え、
入力部は、製本物の背の厚さの値を入力するための第１入力領域と、製本物の本身の厚さの値を入力するための第２入力領域と、を備え、
三方断裁機は、さらに、第１及び第２入力領域の入力に基づいて、指示信号を制御部に送る判定部を備え、
判定部は、第１入力領域に入力された値と第２入力領域に入力された値との差を算出し、
差が所定の閾値より大きい場合に、製本物を第１断裁位置に搬送するように指示し、
差が閾値より小さい場合に、製本物を第２断裁位置に搬送するように指示する。
【００１３】
好ましくは、三方断裁機は、
本身の厚さを測定するための第１測定部と、
製本物の背面の厚さを測定するための第２測定部と、
第１及び第２測定部の測定結果に基づいて、指示信号を制御部に送る判定部と、を備え、
判定部は、第１測定部が測定した値と第２測定部が測定した値との差を算出し、
差が所定の閾値より大きい場合に、製本物を第１断裁位置に搬送するように指示し、
差が閾値より小さい場合に、製本物を第２断裁位置に搬送するように指示することを特徴とする請求項１に記載の三方断裁機。
【００１４】
好ましくは、三方断裁機は、
製本物の本身の背面に糊を塗布し、本身の背面に表紙を貼り付けて製本物にする無線綴じ製本機に接続されており、
無線綴じ製本機は、
本身を把持して搬送するための一対のクランプ板と、
本身の背面に表紙を押し当てた状態で挟むための一対のニップ板と、を備え、
製本機又は三方断裁機は、
クランプ板の移動量に基づいて、本身の厚さを測定するための第１測定部と、
ニップ板の移動量に基づいて、製本物の背面の厚さを測定するための第２測定部と、
第１及び第２測定部の測定結果に基づいて、指示信号を制御部に送る判定部と、を備え、
判定部は、第１測定部が測定した値と第２測定部が測定した値との差を算出し、
差が所定の閾値より大きい場合に、製本物を第１断裁位置に搬送するように指示し、
差が閾値より小さい場合に、製本物を第２断裁位置に搬送するように指示する。
【発明の効果】
【００１５】
本発明に係る三方断裁機は、天用断裁刃および地用断裁刃で天辺縁部および地辺縁部を断裁する際に、製本物を第１又は第２断裁位置に搬送するための搬送機構と、搬送機構の動作を制御する制御部とを備える。そして、制御部は、所定の指示信号に基づいて、製本物が第１又は第２断裁位置のいずれかに搬送されるように搬送機構を制御する。製本物が第１断裁位置に搬送されると、押さえ部材は製本物の背面を押さえないようになっており、一方、製本物が第２断裁位置に搬送されると、押さえ部材は製本物の背面を押さえるようになっている。
【００１６】
製本物の背面が本身よりも厚くて、製本物の背面の厚さと本身の厚さとの差が大きい場合、押さえ部材が製本物の背面を押さえると、押さえた時に製本物の背面に皺が入り、仕上がりのよい製本物ができない。従って、その場合には、三方断裁機は、制御部に指示信号を送り、製本物を第１断裁位置に搬送して、押さえ部材が製本物の背面を押さえず、製本物の背面に皺が入らないようにする。
また、製本物の背面の厚さと本身の厚さとの差が小さい場合、押さえ部材が製本物の背面を押さえても、押さえた時に製本物の背面に皺が入らない。従って、その場合には、三方断裁機は、制御部に指示信号を送り、製本物を第２断裁位置に搬送して、押さえ部材が製本物の背面を押さえて、製本物の背面の角が破れないようにする。
【００１７】
従って、本発明に係る三方断裁機は、天用断裁刃および地用断裁刃で製本物の天辺縁部および地辺縁部を断裁する際に、押さえ部材で製本物の背面を押さえるか押さえないかを指示できるようになっている。すなわち、本発明に係る三方断裁機は、製本物に応じて、押さえ部材が製本物を押さえる位置を変更できるようになっており、その結果、仕上がりのよい製本物になるように断裁できる。
【図面の簡単な説明】
【００１８】
【図１】第１実施形態の三方断裁機を示す斜視図。
【図２】三方断裁機を示す平面図。
【図３】三方断裁機の一部を示す正面図。
【図４】三方断裁機の一部を示す側面図。
【図５】第１断裁位置に搬送された製本物を断裁するときの説明図であって、（Ａ）は押さえ部材が非押圧位置に配置された状態を示す拡大側面図、（Ｂ）は押さえ部材が押圧位置に配置された状態を示す拡大側面図。
【図６】第２断裁位置に搬送された製本物を断裁するときの説明図であって、（Ａ）は押さえ部材が非押圧位置に配置された状態を示す拡大側面図、（Ｂ）は押さえ部材が押圧位置に配置された状態を示す拡大側面図。
【図７】第２実施形態の三方断裁機の一部を示す平面図。
【図８】第３実施形態の三方断裁機の入力部を示す図。
【図９】第４実施形態の三方断裁機において第１及び第２測定部を説明するための図。
【発明を実施するための形態】
【００１９】
以下、図面に基づいて、本発明に係る三方断裁機について説明する。
【００２０】
［第１実施形態］
先ず、三方断裁機の第１実施形態について説明する。
図１の通り、製本物２７は、天辺縁部２７ａ、地辺縁部２７ｂ、小口辺縁部２７ｃ及び背面２７ｄを有する。三方断裁機は、製本物２７の天辺縁部２７ａ、地辺縁部２７ｂ及び小口辺縁部２７ｃを断裁することで、製本物２７を所定寸法に仕上げる。
【００２１】
三方断裁機は、製本物２７の天辺縁部２７ａを断裁するための天用断裁刃１１、製本物２７の地辺縁部２７ｂを断裁するための地用断裁刃１２、製本物２７の小口辺縁部２７ｃを断裁するための小口用断裁刃１３を備える。三方断裁機は、天用断裁刃１１で製本物１７を断裁する際に製本物２７を押さえるための天用押さえ板１５ａ、地用断裁刃１２で製本物２７を断裁する際に製本物２７を押さえるための地用押さえ板１５ｂ、小口用断裁刃１３で製本物２７を断裁する際に製本物２７を押さえるための小口用押さえ板１５ｃを備える。
【００２２】
三方断裁機は、製本物２７の天辺縁部２７ａを断裁する際に、天用押さえ板１５ａと共に製本物２７を押さえるための天用断裁台１６を備える。三方断裁機は、製本物２７の地辺縁部２７ｂを断裁する際に、地用押さえ板１５ｂと共に製本物２７を押さえるための地用断裁台１７を備える。そして、図３の通り、天用断裁台１６は、天用断裁刃１１の刃先を受けるための刃受け１６ａを備える。地用断裁台１７は、地用断裁刃１２の刃先を受けるための刃受け１７ａを備える。
【００２３】
図１の通り、三方断裁機は、ねじ軸３２を回転自在に支持する支持部３１を備える。天用押さえ板１５ａは、ねじ軸３２に螺合されている。三方断裁機は、ねじ軸３４を回転可能に支持する支持部３３を備える。地用押さえ板１５ｂは、ねじ軸３４に螺合されている。三方断裁機は、ねじ軸３６を回転可能に支持する支持部３５を備える。小口用押さえ板１５ｃは、ねじ軸３６に螺合されている。
【００２４】
各ねじ軸３２，３４，３６は、その上端部にプーリーを備える。三方断裁機は、押さえ板駆動モータ２６を備える。押さえ板駆動モータ２６の出力軸は、無端ベルト３７ａを介して、各ねじ軸３２，３４，３６のプーリーに連結されている。そして、押さえ板駆動モータ２６が駆動すると、ねじ軸３２，３４，３６の回転に伴って、押さえ板１５ａ，１５ｂ，１５ｃが昇降するようになっている。
【００２５】
図１の通り、地用断裁刃１２は、その端部において、駆動ロッド２５ａの一端部が回転自在に連結されている。駆動ロッド２５ａの他端部は、駆動減速機２３の出力軸２４のクランク２５に連結されている。三方断裁機は、断裁刃用駆動モータ２２を備える。断裁刃用駆動モータ２２は、無端ベルト３７ｂを介して、駆動減速機２３と連結する。断裁刃用駆動モータ２２が駆動して、駆動減速機２３の出力軸２４が一回転すると、地用断裁刃１２が斜め方向に１サイクル昇降運動する。また、断裁刃用駆動モータ２２が駆動すると、地用断裁刃１２と共に天用断裁刃１１も昇降運動するように構成されている。なお、小口用断裁刃１３は、別の断裁刃駆動モータ（不図示）で昇降運動するようになっている。
【００２６】
図２の通り、三方断裁機は、搬入部１ａ、挿入部１ｂ、小口断裁部１ｃ、天地断裁部１ｄ及び排出部１ｅで構成される。製本物２７は、搬入部１ａに設けられたベルトコンベア１００によって挿入部１ｂへ搬送され、挿入部１ｂに設けられた位置合わせプレート１０２，１０３によって位置合わせされる。そして、製本物２７は、搬送機構１８によって小口断裁部１ｃへ搬送されて、小口用断裁刃１３によって製本物２７の小口辺縁部２７ｃが断裁される。そして、製本物２７は、搬送機構１８によって天地用断裁部１ｄへ搬送されて、天用断裁刃１１及び地用断裁刃１２によって製本物２７の天辺縁部２７ａ及び地辺縁部２７ｂが断裁される。その後、製本物２７は、搬送機構１８によって搬出部１ｅへ搬送されて、搬出部１ｅに設けられたベルトコンベア１０１によって搬出される。
【００２７】
図１及び図４の通り、搬送機構１８は、チャック機構１８０を備える。チャック機構１８０は、固定側把持部１８ａと可動側把持部１８ｂとで製本物２７の背面２７ｄ付近を把持する。チャック機構１８０は、可動側把持部１８ｂを開位置と閉位置とに移動可能にするための駆動部１８ｃを備える。チャック機構１８０は、可動側把持部１８ｂを開位置にして製本物２７を解放し、可動側把持部１８ｂを閉位置して製本物２７を把持する。
【００２８】
搬送機構１８は、小口断裁部１ｃと天地断裁部１ｄとにわたって延設された送りねじ１８４を備える。搬送機構１８は、送りねじ１８４に螺合された移動部１８３を備える。移動部１８３は、チャック機構１８０に連結されている。送りねじ１８４は、無端ベルト１８２を介して搬送駆動モータ１８１に連結される。搬送駆動モータ１８１の駆動によって、送りねじ１８４は正逆回転する。送りねじ１８４の正逆回転によって、移動部１８４は、送りねじ１８４の軸方向に沿って進退移動する。移動部１８４が移動することによって、チャック機構１８０は、製本物２７を把持して、小口断裁部１ｃと天地用断裁部１ｄとの間を移動することができる。
【００２９】
図１の通り、三方断裁機は、製本物２７の下方に配置される一対の製本物受け台１４ａ，１４ｂを備える。製本物受け台１４ａ，１４ｂは、小口断裁部１ｃと天地用断裁部１ｄとにわたって延設されている。各製本物受け台１４ａ，１４ｂは、空間部１４ｃを介して配置されている。図３の通り、空間部１４ｃには、チャック機構１８の固定側把持部１８ａが配置されるようになっており、これによって、チャック機構１８が空間部１４ｃに沿って移動できるので、製本物２７を製本物受け台１４ａ，１４ｂの上で搬送できる。
【００３０】
図１の通り、三方断裁機は、制御部１を備える。制御部１は、三方断裁機の駆動を制御するようになっており、断裁刃駆動モータ２２、押さえ板駆動モータ２６、搬送駆動モータ１８１等の駆動を制御する。三方断裁機は、制御部１に接続された入力部２を備える。作業者は、種々の設定を行う際に、各設定を入力部２に入力するようになっている。制御部１は、入力部２に入力された設定に基づいて、三方断裁機の駆動を制御する。
【００３１】
＜天地断裁動作＞
次に、三方断裁機が製本物２７の天辺縁部２７ａ及び地辺縁部２７ｂを断裁する際の動作について詳細に説明する。
【００３２】
本実施形態では、入力部２は、タッチパネルで構成されており、図１の通り、製本物２７を第１断裁位置に搬送するように指示するための第１指示ボタン２ａと、製本物２７を第２断裁位置に搬送するように指示するための第２指示ボタン２ｂとが、入力部２に表示されるようになっている。そして、作業者が入力部２を通じて製本物２７を第１又は第２断裁位置に搬送するように指示すると、その指示信号が入力部２から制御部１に送られ、制御部１は、入力部２からの指示信号に基づいて、搬送機構１８を駆動する。
【００３３】
＜第１断裁位置＞
作業者が入力部２の第１指示ボタン２ａを押すと、搬送機構１８は、製本物２７を小口断裁部１ｃから天地断裁部１ｄにおける第１断裁位置へ搬送して停止する。
【００３４】
図５（Ａ）の通り、製本物２７が第１断裁位置で停止すると、天用押さえ板１５ａ及び地用押さえ板１５ｂの前端面１５０から前方へ所定距離Ｓだけ間隔を置いた位置に、製本物２７の背面２７ｄを配置する。なお、搬送機構１８のチャック機構１８０は、製本物２７の背面２７ｄを把持しないように、製本物２７を把持する。
【００３５】
その後、図５（Ｂ）の通り、製本物２７が第１断裁位置で停止している間に、押さえ板駆動モータ２６が駆動して、それによって、天用押さえ板１５ａ及び地用押さえ板１５ｂが、製本物２７から離れた非押圧位置（図５（Ａ））から製本物２７を押さえる押圧位置（図５（Ｂ））に移動する。非押圧位置と押圧位置との位置関係は、予め設定されており、本実施形態では、押さえ板１５ａ，１５ｂは、垂直方向に移動するようになっている。その結果、押圧位置に配置された天用押さえ板１５ａ及び地用押さえ板１５ｂは、製本物２７の背面２７ｄが押さえられないように、製本物２７を押さえるようになっている。
【００３６】
製本物２７は、本身２７０と表紙２７１とを備えており、本身２７０の背面に糊が塗布されて、その背面に表紙２７１が貼り付けられている。製本物２７の背面２７ｄの厚さＷ１が、本身２７０の厚さＷ２よりも厚くて、厚さＷ１と厚さＷ２との差が所定の閾値よりも大きい場合、押さえ部材１５ａ，１５ｂが製本物２７の背面２７ｄを押さえると、押さえた時に、製本物２７の背面２７ｄが潰れて皺が入り、仕上がりのよい製本物ができない。従って、その場合には、作業者は入力部２の第１指示ボタン２ａを押して、製本物２７を第１断裁位置に搬送して、押さえ板１５ａ，１５ｂが製本物２７の背面２７ｄを押さえず、製本物２７の背面２７ｄに皺が入らないようにする。
【００３７】
そして、押さえ板１５ａ，１５ｂが製本物２７の背面２７ｄを避けるように押さえている間に、制御部１は、断裁刃駆動モータ２２を駆動して、それによって、天用断裁刃１１及び地用断裁刃１２を非断裁位置から断裁位置へ斜め方向に降ろす。その結果、製本物２７の天辺縁部２７ａ及び地辺縁部２７ｂが断裁されるようになっている。
なお、断裁刃１１，１２は、製本物２７の背面２７ｄから進入して、斜め方向に断裁することで、断裁刃１１，１２の刃先にかかる負担を軽減し、仕上がりのよい製本物２７になるように断裁する。
【００３８】
＜第２断裁位置＞
作業者が入力部２の第２指示ボタン２ｂを押すと、搬送機構１８は、製本物２７を小口断裁部１ｃから天地断裁部１ｄにおける第２断裁位置へ搬送して停止する。
【００３９】
図６（Ａ）の通り、製本物２７が第２断裁位置で停止すると、天用押さえ板１５ａ及び地用押さえ板１５ｂの前端面１５０の真下（又は、真下より前方）に、製本物２７の背面２７ｄが配置される。
【００４０】
その後、図６（Ｂ）の通り、製本物２７が第２断裁位置で停止している間に、押さえ板駆動モータ２６が駆動して、それによって、天用押さえ板１５ａ及び地用押さえ板１５ｂが、製本物２７から離れた非押圧位置（図６（Ａ））から製本物２７を押さえる押圧位置（図６（Ｂ））に移動する。その結果、押圧位置に配置された天用押さえ板１５ａ及び地用押さえ板１５ｂは、製本物２７の背面２７ｄが押さえられるように、製本物２７を押さえるようになっている。
【００４１】
製本物２７の背面２７ｄの厚さＷ１と本身２７０の厚さＷ２との差が所定の閾値よりも小さい場合、押さえ部材１５ａ，１５ｂが製本物２７の背面２７ｄを押さえても、押さえた時に、製本物２７の背面２７ｄに皺が入らない。従って、その場合には、作業者は入力部２の第２指示ボタン２ｂを押して、製本物２７を第２断裁位置に搬送して、押さえ板１５ａ，１５ｂが製本物２７の背面２７ｄを押さえて、製本物２７の背面２７ｄの角が破れないようにする。
【００４２】
そして、押さえ板１５ａ，１５ｂが製本物２７を押さえている間に、制御部１は、天用断裁刃１１及び地用断裁刃１２を非断裁位置から断裁位置へ斜め方向に降ろす。その結果、製本物２７の天辺縁部２７ａ及び地辺縁部２７ｂが断裁されるようになっている。
【００４３】
［第２実施形態］
次に、三方断裁機の第２実施形態について説明する。なお、上記した第１実施形態と同じ構成については、説明を省略する。
【００４４】
本実施形態は、第１実施形態と異なり、作業者が製本物２７の第１又は第２断裁位置を指示するものではない。
図７の通り、三方断裁機は、搬入部１ａの入口に情報読み取り部４０が設けられている。情報読み取り部４０は、製本物２７に印刷された情報部２８０を読み取り、その情報に基づいて、第１又は第２断裁位置の指示信号を制御部１に送る。情報部２８０には、第１又は第２断裁位置を指示する情報が含まれている。本実施形態では、情報部２８０はバーコードからなり、情報読み取り部４０はバーコードリーダーからなる。他の実施形態として、情報部２８０は文字情報又は画像情報等であってもよく、情報読み取り部４０は画像識別装置であってもよい。
【００４５】
［第３実施形態］
次に、三方断裁機の第３実施形態について説明する。なお、上記した第１実施形態と同じ構成については、説明を省略する。
【００４６】
本実施形態では、第１実施形態と異なり、入力部２に第１及び第２指示ボタン２ａ，２ｂが表示されない。
図８の通り、入力部２に、製本物２７の背面２７ｄの厚さＷ１の値を入力するための第１入力領域２ｃと、本身２７０の厚さＷ２の値を入力するための第２入力領域２ｄとが表示される。さらに、三方断裁機は、入力部２及び制御部１に接続された判定部１０を備える。判定部１０は、入力部２に入力された厚さＷ１の値と厚さＷ２の値との差（＝Ｗ１−Ｗ２）を算出して、その算出値が所定の閾値より大きければ、第１断裁位置を指示する信号を制御部１に送り、算出値が所定の閾値より小さければ、第２断裁位置を指示する信号を制御部１に送るようになっている。
【００４７】
［第４実施形態］
次に、三方断裁機の第３実施形態について説明する。なお、上記した第１実施形態と同じ構成については、説明を省略する。
【００４８】
本実施形態は、第１実施形態と異なり、作業者が製本物２７の第１又は第２断裁位置を指示するものではない。
本実施形態では、三方断裁機は、無線綴じ製本機（不図示）に接続される。この製本機は、例えば特開２０１１−３７２１６号公報に記載されているように周知技術であるので、詳細な説明は省略する。図９の通り、製本機は、本身２７０をクランプ板２００で把持して、その後、本身２７０の背面２７０ｄに糊を塗布する糊付け部、本身２７０の背面２７０ｄに表紙２７１を貼り付ける貼り付け部へ搬送する。
【００４９】
さらに、製本機は、貼り付け部において、糊が塗布された本身２７０の背面２７０ｄに表紙２７１を配置し、背押し板２０２で表紙２７１を本身２７０に押し当てて、その後、一対のニップ板２０１で本身２７０と表紙２７１とを挟み、表紙２７１を本身２７０に貼り付けて、製本物２７を作成する。
【００５０】
製本機は、一対のクランプ板２００の移動量を測定して、本身２７０の厚さＷ２を測定する第１測定部４１を備える。製本機は、一対のニップ板２０１の移動量を測定して、製本物２７の背面２７ｄの厚さＷ１を測定する第２測定部４２を備える。
【００５１】
三方断裁機は、第１及び第２測定部４１，４２に接続された判定部１０を備える。判定部１０は、第１及び第２測定部４１，４２で測定された厚さＷ１の値と厚さＷ２の値との差（＝Ｗ１−Ｗ２）を算出して、その算出値が所定の閾値より大きければ、第１断裁位置を指示する信号を制御部１に送り、算出値が所定の閾値より小さければ、第２断裁位置を指示する信号を制御部１に送る。
【００５２】
なお、本実施形態では、第１及び第２測定部４１，４２は製本機に設けられているが、別の実施形態として、三方断裁機に設けられていてもよい。また、別の実施形態として、第１及び第２測定部４１，４２が、三方断裁機及び製本機とは別の装置に設けられ、各測定値を判別部１０に送るようにしてもよい。
【符号の説明】
【００５３】
１  制御部
２  入力部
２ａ  第１指示ボタン
２ｂ  第２指示ボタン
２ｃ  第１入力領域
２ｄ  第２入力領域
１０  判定部
１１  天用断裁刃
１２  地用断裁刃
１８  搬送機構
１５ａ  天用押さえ板
１５ｂ  地用押さえ板
２８０  情報部
４０  情報読み取り部
４１  第１測定部
４２  第２測定部
２００  クランプ板
２０１  ニップ板
２７  製本物
２７ａ  製本物の天辺縁部
２７ｂ  製本物の地辺縁部
２７ｃ  製本物の小口辺縁部
２７ｄ  製本物の背面
２７０  本身
２７１  表紙
Ｗ１  製本物の背面の厚さ
Ｗ２  本身の厚さ
【図１】
2014046414.tif 000003
【図２】
2014046414.tif 000004
【図３】
2014046414.tif 000005
【図４】
2014046414.tif 000006
【図５】
2014046414.tif 000007
【図６】
2014046414.tif 000008
【図７】
2014046414.tif 000009
【図８】
2014046414.tif 000010
【図９】
2014046414.tif 000011